(57)【要約】【課題】黒色被覆層の欠けを的確に検出する。【解決手段】ガラス板上に形成された着色層の欠陥を検査する方法であって、検査対象のガラス板の画像を用いて、前記着色層の境界上に複数の検査点を設定する第１のステップと、前記設定された検査点と隣接する両側の検査点とを結ぶ２本の線分で形成される角度を測定する第２のステップと、前記測定された角度と所定の検査検出角とを比較し、前記測定された角度が前記検査検出角より小さい場合、前記着色層に欠陥を検出したと判定する第３のステップと、を含む。【選択図】図２
2014016267.tif 000002
【特許請求の範囲】
【請求項１】
ガラス板上に形成された着色層の欠陥を検査する方法であって、
検査対象のガラス板の画像を用いて、前記着色層の境界上に複数の検査点を設定する第１のステップと、
前記設定された検査点と隣接する両側の検査点とを結ぶ２本の線分で形成される角度を測定する第２のステップと、
前記測定された角度と所定の検査検出角とを比較し、前記測定された角度が前記検査検出角より小さい場合、前記着色層に欠陥を検出したと判定する第３のステップと、を含むことを特徴とする検査方法。
【請求項２】
前記第２のステップでは、設定された検査点の位置を測定し、前記測定された位置と前記測定された角度とを関連付けて記憶し、
前記第３のステップでは、前記欠陥を検出した検査点の位置の情報を出力することを特徴とする請求項１に記載の検査方法。
【請求項３】
サンプルとして用いられるガラス板上の着色層の境界上に複数の検査点を設定し、前記設定された検査点と隣接する両側の検査点とを結ぶ２本の線分で形成される角度を測定し、前記測定された角度をティーチングデータとして記憶する第４のステップと、
前記検査対象のガラス板において測定された角度と、当該角度に対応するティーチングデータとを比較し、当該測定された角度が当該ティーチングデータより小さい場合、前記着色層に欠陥を検出したと判定する第５のステップと、を含むことを特徴とする請求項１又は２に記載の検査方法。
【請求項４】
前記第５のステップは、前記測定された角度の頂点となる検査点と前記ティーチングデータを与える検査点とを所定の座標において重畳させ、前記二つの検査点の距離が所定の許容範囲内である場合、当該角度と当該ティーチングデータとが対応すると判定するステップを含むことを特徴とする請求項３に記載の検査方法。
【請求項５】
前記第１のステップでは、前記検査点を設定する前に、前記画像の２値化処理を行うことを特徴とする請求項１から４のいずれか一つに記載の検査方法。
【請求項６】
前記第１のステップでは、前記検査点を設定する前に、前記画像中の輪郭を円滑化する処理を行うことを特徴とする請求項１から５のいずれか一つに記載の検査方法。
【請求項７】
ガラス板上の着色層の欠陥を検査する検査装置であって、
前記ガラス板の画像を取得するカメラと、
前記ガラス板に光を照射する光源と、
前記取得した画像を解析する計算機と、を有し、
前記計算機は、請求項１から６のいずれか一つの検査方法によって、前記ガラス板を検査することを特徴とする検査装置。
【請求項８】
着色層が表面上に形成されるガラス板の製造方法であって、
前記ガラス板上に着色部材を塗布する工程と、
前記塗布された着色部材によって形成された着色層を、請求項１から６のいずれか一つの方法によって検査する工程と、
前記塗布された着色部材を前記ガラス板上に定着させる工程とを含むガラス板の製造方法。
【発明の詳細な説明】
【技術分野】
【０００１】
本発明は、ガラス板を検査する方法に関し、特に、ガラス板上に形成された着色層を検査する方法に関する。
【背景技術】
【０００２】
自動車の窓に取り付けられるガラス板は、その周縁部に黒色被覆層が設けられることがある。この黒色被覆層は、低融点ガラスの粉末と顔料とをペースト状にしたセラミックペーストを、ガラス面上にスクリーン印刷した後、焼き付けることによって形成される黒色で帯状の層である。
【０００３】
例えば、特許文献１には、スクリーン印刷によってガラス板上に黒色被覆層を形成することが記載されている。
【０００４】
また、特許文献２には、散乱光を用いて印刷物を照明し、印刷物の複数の画像を散乱光が透過する側からＣＣＤカメラで撮像し、該画像を合成して検査用画像とし、該検査用画像を暗部と明部とに２値化処理し、明部を面積の大きい順に順序づけし、面積の大きさが（ｍ＋１）番目以下（ｍは非印刷部の個数）となる明部を印刷欠陥とし、暗部を面積の大きい順に順序づけし、面積の大きさが（ｎ＋１）番目以下（ｎは印刷部の個数）となる暗部を印刷汚れとする検査方法が記載されている。
【０００５】
また、特許文献３には、検査用のしきい値の標準値を要素半田印刷部の種類と関連づけて作成されたしきい値標準データを予め準備しておき、印刷検査対象の基板の要素半田印刷部のそれぞれについて、しきい値標準データに基づき当該要素半田印刷部の種類に応じたしきい値を設定する印刷検査方法が記載されている。
【０００６】
また、特許文献４には、電極に印刷される単位印刷部の形状および位置を示す単位形状・位置データをグループ化条件に従って括ることによってデータ群に分類して作成された検査用データと撮像手段による基板の撮像結果を比較することにより印刷状態を判定する印刷検査方法が記載されている。
【先行技術文献】
【特許文献】
【０００７】
【特許文献１】特開２００４−２４３６３０号公報
【特許文献２】特開２００６−１０５８０７号公報
【特許文献３】特開２００４−１８８６４６号公報
【特許文献４】特開２００４−５８２９８号公報
【発明の概要】
【発明が解決しようとする課題】
【０００８】
しかし、特許文献２に記載された技術では、ピンホールや印刷汚れを検出することができるものの、黒色被覆層のエッジの欠けを検出することはできない。
【０００９】
また、特許文献４に記載された技術では、小さなクリーム半田を認識するためのものであり、縦横の大きさが１ｍを超える大きなガラス板の周縁部に印刷された黒色被覆層に生じた小さな欠けを判別することはできない。
【００１０】
さらに、スクリーン印刷によって形成された黒色被覆層は、その境界部が滲むことから、滲みと区別して欠けを検出する必要がある。
【００１１】
本発明は、黒色被覆層の欠けを的確に検出することを目的とする。
【課題を解決するための手段】
【００１２】
すなわち、本発明は、ガラス板上に形成された着色層の欠陥を検査する方法であって、検査対象のガラス板の画像を用いて、前記着色層の境界上に複数の検査点を設定する第１のステップと、前記設定された検査点と隣接する両側の検査点とを結ぶ２本の線分で形成される角度を測定する第２のステップと、前記測定された角度と所定の検査検出角とを比較し、前記測定された角度が前記検査検出角より小さい場合、前記着色層に欠陥を検出したと判定する第３のステップと、を含むことを特徴とする検査方法である。
【００１３】
また、本発明は、さらに、前記第２のステップでは、設定された検査点の位置を測定し、前記測定された位置と前記測定された角度とを関連付けて記憶し、前記第３のステップでは、前記欠陥を検出した検査点の位置の情報を出力することを特徴とする検査方法である。
【００１４】
また、本発明は、さらに、サンプルとして用いられるガラス板上の着色層の境界上に複数の検査点を設定し、前記設定された検査点と隣接する両側の検査点とを結ぶ２本の線分で形成される角度を測定し、前記測定された角度をティーチングデータとして記憶する第４のステップと、前記測定された角度と、当該角度に対応するティーチングデータとを比較し、前記測定された角度が当該ティーチングデータより小さい場合、前記着色層に欠陥を検出したと判定する第５のステップと、を含むことを特徴とする検査方法である。
【００１５】
また、本発明は、さらに、前記第５のステップは、前記測定された角度の頂点となる検査点と前記ティーチングデータを与える検査点とを所定の座標において重畳させ、前記二つの検査点の距離が所定の許容範囲内である場合、当該角度と当該ティーチングデータとが対応すると判定するステップを含むことを特徴とする検査方法である。
【００１６】
また、本発明は、さらに、前記第１のステップでは、前記検査点を設定する前に、前記画像の２値化処理を行うことを特徴とする検査方法である。
【００１７】
また、本発明は、さらに、前記第１のステップでは、前記検査点を設定する前に、前記画像中の輪郭を円滑化する処理を行うことを特徴とする検査方法である。
【００１８】
また、本発明は、さらに、ガラス板上の着色層の欠陥を検査する検査装置であって、前記ガラス板の画像を取得するカメラと、前記ガラス板に光を照射する光源と、前記取得した画像を解析する計算機と、を有し、前記計算機は、前述したいずれかの検査方法によって、前記ガラス板を検査することを特徴とする検査装置である。
【００１９】
また、本発明は、さらに、着色層が表面上に形成されるガラス板の製造方法であって、前記ガラス板上に着色部材を塗布する工程と、前記塗布された着色部材によって形成された着色層を、前述したいずれかの方法によって検査する工程と、前記塗布された着色部材を前記ガラス板上に定着させる工程とを含むガラス板の製造方法である。
【発明の効果】
【００２０】
本発明の代表的な一実施形態によれば、黒色被覆層の欠けを的確に検出することができる。
【図面の簡単な説明】
【００２１】
【図１Ａ】本発明の実施形態の検査装置で検査されるガラス板の平面図である。
【図１Ｂ】本発明の実施形態の検査装置で検査されるガラス板のＡ部の拡大図である。
【図２】本発明の実施形態の検査装置の構成を示すブロック図である。
【図３】本発明の実施形態の検査装置で検査されるガラス板のＢ部の拡大図である。
【図４】本発明の実施形態の検査装置におけるティーチングデータと黒色被覆層の境界との比較を説明する図である。
【図５】本発明の実施形態のティーチングデータ取得処理のフローチャートである。
【図６】本発明の実施形態の欠け検出処理のフローチャートである。
【発明を実施するための形態】
【００２２】
図１Ａは、本発明の実施形態の検査装置で検査されるガラス板１の平面図であり、図１Ｂは、ガラス板１のＡ部の拡大図である。
【００２３】
図示したガラス板１は、自動車の窓に取り付けられるガラス板であり、その周縁部に黒色被覆層が設けられる。黒色被覆層は、低融点ガラスの粉末と顔料とをペースト状にしたセラミックペーストを、ガラス面上にスクリーン印刷した後、焼き付けることによって形成される通常黒色で帯状の層である。
【００２４】
この黒色被覆層は、スクリーン印刷で形成されるので、図１Ｂに示すように、滲み１１や欠け１２が境界部分に生じる。本発明の実施形態の検査装置は、この黒色被覆層の滲みと欠けとを判別して、欠けを的確に検出する。
【００２５】
図２は、本発明の実施形態の検査装置の構成を示すブロック図である。
【００２６】
本実施形態の検査装置は、検査対象のガラス板１を搬送するコンベア１０、搬送されるガラス板１を撮影するカメラ２０、カメラ２０によって撮影されるガラス板１に光を照射するランプ３０、コンベア１０上のガラス板１を検出するセンサ４０、及び、カメラ２０が撮影した画像を解析する検査システム１００を有する。
【００２７】
カメラ２０は、搬送されるガラス板１を撮影し、ガラス板の白黒画像を得る撮像装置で、例えばＣＣＤラインセンサを用いることができる。カメラ２０にラインセンサを用いた場合、ガラス板１の搬送に従って連続して画像（例えば、動画像）を取得することによって、検査対象のガラス板の平面画像を得ることができる。なお、一次元に撮像素子が並んでいるラインセンサではなく、二次元（平面状）に撮像素子が並んでいるＣＣＤカメラや、ＣＭＯＳセンサを用いてもよい。
【００２８】
本実施形態の検査装置は、撮影した画像の解像度を向上させるため、複数のカメラ２０を有する。カメラ２０が撮影した画像は、検査システム１００に入力される。
【００２９】
ランプ３０は、カメラ２０によって撮影されるガラス板１に、コンベア１０の裏面側（カメラ２０の反対側）から光を照射する発光素子で、例えば蛍光灯ランプを用いることができる。ランプ３０がコンベア１０の裏面側から光を照射することによって、コントラストが高い画像を得ることができる。なお、ランプ３０は、カメラ２０の撮影間隔より早い周期で動作する高周波蛍光灯を用いるとよい。
【００３０】
センサ４０は、コンベア１０上を搬送されるガラス板１がセンサ４０上に乗った（すなわち、カメラ２０による撮影に適した位置に到達した）ことを検出するセンサで、例えば、光電スイッチを用いることができる。センサ４０が出力した信号は、検査システム１００に入力される。検査システム１００は、センサ４０から出力された信号によって、カメラ２０が取得した画像を取り込む。
【００３１】
本実施形態の検査システム１００は、プロセッサ（ＣＰＵ）１０１、メモリ１０２、記憶装置（ＨＤＤ）１０３、入力装置１０４、出力装置１０５及びインターフェース１０６を有し、これらの構成がバス１０７で接続された計算機である。
【００３２】
プロセッサ１０１は、メモリ１０２に格納されたプログラムを実行する処理装置である。
【００３３】
メモリ１０２は、例えば、ＤＲＡＭ（Dynamic Random Access Memory）のような高速かつ揮発性の記憶装置であり、オペレーティングシステム（ＯＳ）及びアプリケーションプログラムを格納する。プロセッサ１０１が、オペレーティングシステムを実行することによって、計算機の基本機能が実現され、アプリケーションプログラムを実行することによって、計算機が提供する機能が実現される。具体的には、メモリ１０２は、図５に示すティーチングデータ取得処理及び図６に示す欠け検出処理を実行するためのプログラムを格納する。
【００３４】
記憶装置１０３は、例えば、磁気記憶装置、フラッシュメモリ等の大容量かつ不揮発性の記憶装置であり、プロセッサ１０１によって実行されるプログラム及びプログラム実行時に使用されるデータを格納する。なお、プログラムは、記憶装置１０３から読み出され、メモリ１０２にロードされて、プロセッサ１０１によって実行される。
【００３５】
入力装置１０４には、キーボード１０７、マウス１０８などのユーザインターフェースが接続される。出力装置１０５には、ディスプレイ装置１０９、プリンタなどのユーザインターフェースが接続される。なお、入力装置１０４及び出力装置１０５は、ＵＳＢ、光ディスクドライブなどのデータを入出力できるインターフェースでてもよい。
【００３６】
インターフェース１０６は、検査システム１００をカメラ２０及びセンサ４０に接続する。なお、インターフェース１０６は、他の装置との通信を制御する通信インターフェースを含んでもよい。
【００３７】
検査システム１００は、物理的に一つの計算機上に構築されても、物理的には一つ又は複数の計算機上に構成された論理区画上に構築されてもよい。
【００３８】
なお、プロセッサ１０１によって実行されるプログラムは、不揮発性の記憶媒体又はネットワークを介して計算機に提供される。このため、計算機は、記憶媒体（ＣＤ−ＲＯＭ、フラッシュメモリ等）を読み込むインターフェースを備えるとよい。
【００３９】
図５は、本発明の実施形態のティーチングデータ取得処理のフローチャートである。このティーチングデータ取得処理は、検査システム１００のプロセッサ１０１が実行する。
【００４０】
まず、製造されるガラス板を目視で検査し、良好と判定できるガラス板の画像データ（ティーチングデータ）を取得する（Ｓ１０１）。なお、ティーチングデータ取得用のガラス板に黒色被覆層の欠けが見つかった場合、他のガラス板を用いてティーチングデータを取得する。
【００４１】
その後、黒色被覆層の境界線をスムージングする拡縮処理を行う（Ｓ１０２）。なお、拡縮処理は複数回行うとよい。拡縮処理の回数が少ないと、滲みによる黒色被覆層の境界の凹凸が粗くなり、欠け検出処理における誤検出の可能性が高くなるからである。また、拡縮処理ではない、線をスムージングする円滑化処理を行ってもよい。円滑化処理を行うことによって、黒色被覆層の滲みによる境界の凸凹を円滑化して、正確なティーチングデータを取得し、欠けの誤検出を減らすことができる。
【００４２】
なお、拡縮処理の前に、取得した画像データを２値化処理を行って黒色被覆層の境界を明確化してもよい。拡縮処理の前に２値化処理を行うことによって、以後の処理を高速化することができる。また、２値化処理に代えて、画像中の輝度の変化が大きい箇所を境界であると判定してもよい。このようにすると、黒色被覆層の境界線が薄い場合でも正確に境界を定めることができる。
【００４３】
その後、黒色被覆層の境界上に複数の検査点（図３の点Ａ〜Ｅ）を設定し、各検査点の座標と、当該検査点と隣接する検査点とを結ぶ線分で形成される角度（図３において、線分ＢＣと線分ＣＤによって形成される角θ）を測定する（Ｓ１０３）。また、検査点の設定には、所定のアルゴリズム、例えば、ダグラス・ポイカーアルゴリズム、コーン交差法などを用いることができる。
【００４４】
その後、予め設定したティーチング検出角と測定された検査点の角度とを比較する（Ｓ１０４）。
【００４５】
その結果、検査点の角度がティーチング検出角より小さい場合、測定された検査点の角度が通常の黒色被覆層の境界の形状であると判定し、当該検査点の座標及び測定された角度をティーチングデータとしてメモリ１０２に記憶する（Ｓ１０５）。一方、検査点の角度がティーチング検出角以上である場合、測定された検査点の角度は異常値であると判定し、ステップＳ１０３に戻り、次の検査点の角度を測定する。
【００４６】
その後、全ての検査点の角度の測定が終了しているかを判定し（Ｓ１０６）、全ての検査点の角度の測定が終了していれば、ティーチングデータ取得処理を終了する。一方、角度の測定が終了していない検査点があれば、ステップＳ１０３に戻り、次の検査点の角度を測定する。
【００４７】
次に、本発明の実施形態の欠け検出処理を含むガラス板の製造工程について説明する。
（１）製造されたガラス板を所望の形状に切断する。
（２）低融点ガラスの粉末と顔料とをペースト状にしたセラミックペーストを、ガラス面上にスクリーン印刷する。
（３）印刷されたセラミックペーストをガラス板に焼き付ける。
（４）黒色被覆層を検査する（図６参照）。
（５）必要に応じて、銀ペーストを印刷し、焼き付け、デフォッガ熱線やアンテナを形成する。
（６）ガラス板を所定の曲率に曲げる。
（７）ガラス板と中間膜とを合わせる。
（８）ガラス板間を脱気する予備接着を行う。
（９）オートクレーブで加熱・加圧し、中間膜を圧着する仕上げ接着を行う。
（１０）ガラス板からはみ出ている中間膜を切断する。
【００４８】
なお、通常のガラス板では、工程（１）〜（５）のみでよく、（６）以後は、合わせガラスの場合に必要となる工程である。また、強化ガラスであれば、熱処理や化学処理の工程が追加される。
【００４９】
前述した製造工程は、検査工程（４）を除いて通常の工程の単なる例示であり、検査工程（４）以外は明細書に記載した工程と異なるものでもよい。
【００５０】
図６は、本発明の実施形態の欠け検出処理のフローチャートである。
【００５１】
まず、検査対象のガラス板１と同じ型番のガラス板のティーチングデータを取得し、そのティーチングデータを確認する（Ｓ２０１）。
【００５２】
その後、黒色被覆層の境界線をスムージングする拡縮処理を行う（Ｓ２０２）。なお、拡縮処理は複数回行うとよい。拡縮処理の回数が少ないと、滲みによって黒色被覆層の境界の凹凸が粗くなり、誤検出の可能性が高くなるからである。また、拡縮処理ではない、線をスムージングする円滑化処理を行ってもよい。円滑化処理を行うことによって、黒色被覆層の滲みによる境界の凸凹を円滑化して、欠けの誤検出を減らすことができる。
【００５３】
なお、拡縮処理の前に、取得した画像データを２値化処理を行って黒色被覆層の境界を明確化してもよい。拡縮処理の前に２値化処理を行うことによって、以後の処理を高速化することができる。また、２値化処理に代えて、画像中の輝度の変化が大きい箇所を境界であると判定してもよい。このようにすると黒色被覆層の境界線が薄い場合でも正確に境界を定めることができる。
【００５４】
その後、黒色被覆層の境界線上に最初の検査点を定め（Ｓ２０３）、複数の検査点（図４の点Ａ〜Ｅ）を設定し、各検査点の座標と、当該検査点と隣接する検査点とを結ぶ線分で形成される角度（図４において、線分ＢＣと線分ＣＤによって形成される角θ）を測定し、測定した検査点の座標と角をメモリ１０２に記憶する（Ｓ２０４）。また、検査点の設定には、また、検査点の設定には、所定のアルゴリズム、例えば、ダグラス・ポイカーアルゴリズム、コーン交差法などを用いることができる。
【００５５】
その後、設定された検査点と、ティーチングデータ取得処理で得られたティーチングデータの点とを同じ座標で重畳し、各検査点から最も近いティーチングデータの点を探索して、各検査点に対応するティーチングデータの点を判定する（Ｓ２０５）。具体的には、検査点とティーチングデータの点との距離が、予め定めた位置許容長より小さい場合、当該検査点と当該ティーチングデータの点とが対応すると判定する。なお、位置許容長に複数の点が含まれる場合、最も近い点を選択する。
【００５６】
例えば、図４に示すように、検査対象のガラス板１の上の検査点Ｃとティーチングデータの点Ｃ’とを対比した場合、点Ｃと点Ｃ’との距離は位置許容長Ｌより短い。よって、検査点Ｃとティーチングデータの点Ｃ’とが対応すると判定することができる。
【００５７】
そして、検査点とティーチングデータの点との距離が、予め定めた位置許容長より小さい場合（Ｓ２０６でＹｅｓ）、検査点の角度と対応するティーチングデータの点の角度とを比較する（Ｓ２０７）。その結果、検査点の角度が対応するティーチングデータの点の角度より小さい場合、欠けが検出されたので、欠けが検出された点の座標をメモリ１０２に記録する（Ｓ２０９）。一方、検査点の角度がティーチングデータの対応点の角度以上である場合、欠けは検出されないと判定する。
【００５８】
一方、検査点とティーチングデータの点との距離が、予め定めた位置許容長以上である場合（Ｓ２０６でＮｏ）、当該検査点に対応するティーチングデータが存在しないので、検査点の角度と予め定めた検査検出角とを比較する（Ｓ２０８）。その結果、検査点の角度が検査検出角より小さい場合、欠けが検出されたので、欠けが検出された点の座標をメモリ１０２に記録する（Ｓ２０９）。一方、検査点の角度が検査検出角以上である場合、欠けは検出されないと判定する。
【００５９】
その後、全ての検査点の処理が終了したかを判定し（Ｓ２１０）、処理が終了していない検査点があれば、ステップＳ２０３に戻り、次の検査点について処理をする。一方、全ての検査点の処理が終了していれば、検出結果を出力し（Ｓ２１１）、欠け検査処理を終了する。
【００６０】
検査結果の出力は、例えば、欠けが検出されたガラス板の画像上で、欠けが検出された箇所の座標に所定のマークを重畳し、ディスプレイ装置１０９に表示する。また、欠けが検出された場合、スピーカから音（音声、警告音など）を出力して、作業者に知らせてもよい。また、欠けが検出されたガラスを回収するためのコンベアの分岐を設け、欠けが検出されたガラスを、分岐した回収ラインに流してもよい。
【００６１】
また、本実施の形態の欠け検査方法について、黒色被覆層の内側の輪郭における処理を説明したが、黒色被覆層の外側の輪郭についても同じ処理を実行することができる。
【００６２】
また、ＴＶ受像機やスマートフォンに用いられる液晶表示装置のカバーガラスに付される着色膜は、前述した黒色被覆層の形成と同様の工程で形成され、本発明の検査方法を適用することができる。
【００６３】
以上に説明したように、本発明の実施形態によると、ガラス板上に形成された黒色被覆層の境界上に設定された検査点の角度が検査検出角より小さい場合、前記黒色被覆層に欠陥を検出したと判定するので、黒色被覆層の滲みと欠けとを判別することができる。また、各検査点において欠けの有無を判別するので、黒色被覆層の形成範囲が大きい場合（例えば、ガラス板の周囲に印刷された黒枠）でも、欠けを的確に検出することができる。
【００６４】
また、各検査点の位置を測定し、欠けを検出した検査点の位置を出力するので、黒色被覆層において欠けがある場所を知ることができる。
【００６５】
また、サンプルとして用いるガラス板の黒色被覆層からティーチングデータを取得して、検査点の角度とティーチングデータとを比較して、欠陥の有無を判定するので、欠けを的確に検出することができる。
【００６６】
また、検査点とティーチングデータを与える点との距離が所定の位置許容長内である場合に、検査点の角度とティーチングデータとを比較して、欠陥の有無を判定するので、検査点とティーチングデータとを的確に対応付けることができる。
【００６７】
また、検査点を設定する前に、ガラス板の画像の２値化処理を行うので、黒色被覆層の境界を明確にすることができ、以後の処理を高速化することができる。
【００６８】
また、検査点を設定する前に、画像中の輪郭を円滑化する処理を行うので、黒色被覆層の滲みによる境界の凸凹を滑らかにして、誤検出を減らすことができる。
【符号の説明】
【００６９】
１０  コンベア
２０  カメラ
３０  ランプ
４０  センサ
１００  検査システム
１０１  プロセッサ（ＣＰＵ）
１０２  メモリ
１０３  記憶装置（ＨＤＤ）
１０４  入力装置
１０５  出力装置
１０６  インターフェース
１０７  バス
【図１Ａ】
2014016267.tif 000003
【図１Ｂ】
2014016267.tif 000004
【図２】
2014016267.tif 000005
【図３】
2014016267.tif 000006
【図４】
2014016267.tif 000007
【図５】
2014016267.tif 000008
【図６】
2014016267.tif 000009